(57)【要約】【課題】距離センサを用いることなく操作ボタンに接近した利用者の指等を非接触で精度よく検出することができ、意図しない操作ボタンへの操作の誤検出を防止することができるエレベータの操作盤装置を提供する。【解決手段】エレベータの操作盤装置において、エレベータの乗場又は乗りかご内に設置される操作盤に設けられた操作ボタンと、１つの操作ボタンにつき２以上の所定の個数ずつが対応して設けられ、それぞれが直線状の検出軸上の物体の有無を非接触で検出するセンサと、１つの操作ボタンに対応する前記所定の個数のセンサが同時に検出軸上に物体を検出した場合に、当該操作ボタンについて操作検出状態にあると判定する判定部と、を備え、１つの操作ボタンに対応する前記所定の個数のセンサの検出軸同士は、正面視において当該操作ボタンの操作面部の内側となる空間上の１点において互いに交差して配置される。【選択図】図３
2015151253.tif 000002
【特許請求の範囲】
【請求項１】
エレベータの乗場又は乗りかご内に設置される操作盤に設けられた操作ボタンと、
１つの前記操作ボタンにつき２以上の所定の個数ずつが対応して設けられ、それぞれが直線状の検出軸上の物体の有無を非接触で検出するセンサと、
１つの前記操作ボタンに対応する前記所定の個数の前記センサが同時に前記検出軸上に物体を検出した場合に、当該操作ボタンについて操作検出状態にあると判定する判定部と、を備え、
１つの前記操作ボタンに対応する前記所定の個数の前記センサの前記検出軸同士は、正面視において当該操作ボタンの操作面部の内側となる空間上の１点において互いに交差して配置されるエレベータの操作盤装置。
【請求項２】
１つの前記操作ボタンに対応する前記所定の個数の前記センサの前記検出軸同士は、正面視において当該操作ボタンの操作面部の中心と重なる空間上の１点において互いに交差して配置される請求項１に記載のエレベータの操作盤装置。
【請求項３】
前記判定部は、１つの前記操作ボタンのみが操作検出状態にあると判定された状態が予め定められた一定時間以上連続した場合に、当該操作ボタンについての操作信号を出力する請求項１又は請求項２に記載のエレベータの操作盤装置。
【請求項４】
前記操作ボタンのそれぞれに対応して設けられた発光部と、
それぞれの前記発光部の発光状態を制御する発光制御部と、を備え、
前記発光制御部は、前記判定部により前記操作ボタンが操作検出状態にあると判定されているか否かに応じて、当該操作ボタンに対応する前記発光部の発光状態を変化させる請求項１から請求項３のいずれか一項に記載のエレベータの操作盤装置。
【請求項５】
前記操作ボタンのそれぞれに対応して設けられた発光部と、
それぞれの前記発光部の発光状態を制御する発光制御部と、を備え、
前記操作ボタンは、呼び登録ボタンであり、
前記判定部は、１つの前記操作ボタンのみが操作検出状態にあると判定された状態が予め定められた一定時間以上連続した場合に、当該操作ボタンについての操作信号をエレベータ制御装置へと出力し、
前記エレベータ制御装置は、前記判定部からの操作信号に応じて呼びを登録し、この登録した呼びについての呼び登録信号を前記発光制御部へと出力し、
前記発光制御部は、前記判定部により前記操作ボタンが操作検出状態にあると判定されている場合に当該操作ボタンに対応する前記発光部を点滅させるとともに、前記エレベータ制御装置からの呼び登録信号に応じて、当該呼び登録信号の呼びの原因となった前記操作ボタンに対応する前記発光部を点灯させる請求項１又は請求項２に記載のエレベータの操作盤装置。
【請求項６】
前記所定の個数は４であり、
前記センサは、１つの前記操作ボタンにつき当該操作ボタンの操作面部の中心から見て上下左右にそれぞれ配置された請求項１から請求項５のいずれか一項に記載のエレベータの操作盤装置。
【請求項７】
前記操作ボタンは、それぞれの操作ボタンの操作面部の中心から見て、右下側と左上側又は左下側と右上側とが互いに隣接するように千鳥状に配置される請求項６に記載のエレベータの操作盤装置。
【発明の詳細な説明】
【技術分野】
【０００１】
この発明は、エレベータの操作盤装置に関するものである。
【背景技術】
【０００２】
従来においては、登録ボタン本体から離間した所定位置に利用客の指先が到達したことを検知する非接触式の検知手段を備え、この検知手段として、利用客の指先が登録ボタン本体に対して所定距離以内に接近したことを検知する距離センサを用いたエレベータの登録ボタンが知られている（例えば、特許文献１参照）。
【先行技術文献】
【特許文献】
【０００３】
【特許文献１】特開２００５−２６３３７８号公報
【発明の概要】
【発明が解決しようとする課題】
【０００４】
しかしながら、特許文献１に示された従来技術においては、１つの操作ボタンについて１つの距離センサだけしか用いておらず、また、距離センサによる距離の測定値の誤差の影響もあり、利用者が操作を意図しない操作ボタンについて誤って操作が検出されてしまうおそれがある。さらに、単に検出範囲内に物体が存在することを検出するセンサと比較して、一般に当該物体までの距離も測定可能な距離センサは高価であるため、装置の製作コストが高騰してしまう。
【０００５】
この発明は、このような課題を解決するためになされた。その目的は、距離センサを用いることなく操作ボタンに接近した利用者の指等を非接触で精度よく検出することができ、利用者が操作を意図しない操作ボタンについて誤って操作が検出されてしまうことを防止することができるエレベータの操作盤装置を安価に得ることにある。
【課題を解決するための手段】
【０００６】
この発明に係るエレベータの操作盤装置においては、エレベータの乗場又は乗りかご内に設置される操作盤に設けられた操作ボタンと、１つの前記操作ボタンにつき２以上の所定の個数ずつが対応して設けられ、それぞれが直線状の検出軸上の物体の有無を非接触で検出するセンサと、１つの前記操作ボタンに対応する前記所定の個数の前記センサが同時に前記検出軸上に物体を検出した場合に、当該操作ボタンについて操作検出状態にあると判定する判定部と、を備え、１つの前記操作ボタンに対応する前記所定の個数の前記センサの前記検出軸同士は、正面視において当該操作ボタンの操作面部の内側となる空間上の１点において互いに交差して配置される構成とする。
【発明の効果】
【０００７】
この発明に係るエレベータの操作盤装置においては、操作ボタンに接近した利用者の指等を非接触で精度よく検出することができ、利用者が操作を意図しない操作ボタンについて誤って操作が検出されてしまうことを防止することができる。また、距離センサを用いることなく操作ボタンに接近した利用者の指等を検出することができるため、安価に非接触式の操作ボタンを実現することができるという効果も併せ奏する。
【図面の簡単な説明】
【０００８】
【図１】この発明の実施の形態１に係るエレベータの操作盤装置が適用されたかご内操作盤を備えた乗りかご内を模式的に示す図である。
【図２】図１中のかご内操作盤の行先階ボタン部分を拡大して示した正面図である。
【図３】図２のかご内操作盤の行先階ボタン部分の側面図及びこの発明の実施の形態１に係るエレベータの操作盤装置の機能ブロック図を併せて示したものである。
【図４】この発明の実施の形態１に係るエレベータの操作盤装置の動作を示すフロー図である。
【図５】この発明の実施の形態２に係るエレベータの操作盤装置が適用されたかご内操作盤の行先階ボタン部分を拡大して示した正面図である。
【発明を実施するための形態】
【０００９】
この発明を添付の図面に従い説明する。各図を通じて同符号は同一部分又は相当部分を示しており、その重複説明は適宜に簡略化又は省略する。
【００１０】
実施の形態１．
図１から図４は、この発明の実施の形態１に係るもので、図１はエレベータの操作盤装置が適用されたかご内操作盤を備えた乗りかご内を模式的に示す図、図２は図１中のかご内操作盤の行先階ボタン部分を拡大して示した正面図、図３は図２のかご内操作盤の行先階ボタン部分の側面図及びエレベータの操作盤装置の機能ブロック図を併せて示したもの、図４はエレベータの操作盤装置の動作を示すフロー図である。
【００１１】
エレベータが設置される建物に設けられた図示しない昇降路内には、図１に示すような乗りかご１０が設けられている。この乗りかご１０は、昇降路内において昇降自在に配置される。乗りかご１０の正面部には、出入口１１が設けられている。出入口１１の左右両側の袖壁には、かご内操作盤２０が設置されている。なお、ここでは、左右の両方の袖壁のそれぞれにかご内操作盤２０が設置されている場合を図１に示している。かご内操作盤２０は、左右の袖壁の少なくとも一方に設けられる。
【００１２】
かご内操作盤２０は操作ボタンを備えている。操作ボタンは、乗りかご１０内の利用者により操作されるためのものである。かご内操作盤２０が備える操作ボタンは、ここでは、行先階ボタン２１及び開閉ボタン２２である。行先階ボタン２１は、乗りかご１０の行先階のそれぞれに対応した複数のボタンからなる。複数の行先階ボタン２１は、ここでは行列状に並べられて配置されている。開閉ボタン２２は、開ボタン及び閉ボタンの２つのボタンからなる。それぞれの操作ボタンは、利用者が当該操作ボタンへの操作の目標とする操作面部を備える。この操作面部の形状は、ここでは正方形状である。
【００１３】
かご内操作盤２０は、表示部２３を備えている。この表示部２３には、乗りかご１０の運転状況に関する各種の情報が表示される。この表示部２３に表示される情報には、具体的に例えば、乗りかご１０の運転方向、乗りかご１０の現在位置等が含まれる。
【００１４】
かご内操作盤２０の行先階ボタン２１部分について、図２及び図３を参照しながら説明する。各操作ボタン（行先階ボタン２１）には、センサが設けられている。センサは、１つの操作ボタン（行先階ボタン２１）につき２以上の所定の個数ずつが対応して設けられている。ここでは、前記所定の個数は４である場合を例に挙げて説明する。すなわち、１つの行先階ボタン２１につき、第１のセンサ３０ａ、第２のセンサ３０ｂ、第３のセンサ３０ｃ及び第４のセンサ３０ｄの４つのセンサが設けられる。
【００１５】
これら４つのセンサは、１つの操作ボタン（行先階ボタン２１）につき当該操作ボタンの操作面部の中心から見て上下左右にそれぞれ１個ずつ配置される。すなわち、第１のセンサ３０ａは行先階ボタン２１の操作面部の中心から見て上側に配置される。第２のセンサ３０ｂは行先階ボタン２１の操作面部の中心から見て向かって右側に配置される。第３のセンサ３０ｃは行先階ボタン２１の操作面部の中心から見て下側に配置される。そして、第４のセンサ３０ｄは行先階ボタン２１の操作面部の中心から見て向かって左側に配置される。
【００１６】
これらの４つのセンサは、対応する行先階ボタン２１の操作面部の内側に配置されてもよいし、操作面部の外側に配置されてもよい。ここで説明する図２及び図３に示す例では、４つのセンサは行先階ボタン２１の操作面部の内側に配置されている。具体的には、第１のセンサ３０ａは行先階ボタン２１の操作面部の上辺の内側に配置されている。第２のセンサ３０ｂは行先階ボタン２１の操作面部の右辺の内側に配置されている。第３のセンサ３０ｃは行先階ボタン２１の操作面部の下辺の内側に配置されている。そして、第４のセンサ３０ｄは行先階ボタン２１の操作面部の左辺の内側に配置されている。
【００１７】
これらのセンサ（第１のセンサ３０ａ、第２のセンサ３０ｂ、第３のセンサ３０ｃ及び第４のセンサ３０ｄ）のそれぞれは、直線状の検出軸上の物体の有無を非接触で検出する。具体的には、第１のセンサ３０ａは第１の検出軸３１ａ上の物体の有無を非接触で検出する。第２のセンサ３０ｂは第２の検出軸３１ｂ上の物体の有無を非接触で検出する。第３のセンサ３０ｃは第３の検出軸３１ｃ上の物体の有無を非接触で検出する。そして、第４のセンサ３０ｄは第４の検出軸３１ｄ上の物体の有無を非接触で検出する。
【００１８】
このようなセンサは、例えばミリ波レーダを用いることにより実装することができる。ミリ波レーダとは波長１〜１０ｍｍ（周波数約３０〜３００ＧＨｚ）の電磁波を射出し、射出した電磁波が検出軸上の物体により反射された反射波を検知することで、検出軸上の物体の有無を検出するものである。
【００１９】
１つの操作ボタン（行先階ボタン２１）に対応する前記所定の個数（４つ）のセンサの全ての検出軸同士は、空間上の同じ１点において互いに交差するように配置されている。すなわち、第１の検出軸３１ａ、第２の検出軸３１ｂ、第３の検出軸３１ｃ及び第４の検出軸３１ｄは、空間上の同じ１点である交差点３２において互いに交差している。
【００２０】
この交差点３２は、正面視において当該行先階ボタン２１の操作面部の内側に位置している。さらに言えば、この交差点３２は、正面視において当該行先階ボタン２１の操作面部の中心と重なって配置される。なお、当該行先階ボタン２１の操作面部から交差点３２までの距離は、３０ｍｍ〜５０ｍｍ程度、好ましくは４０ｍｍ前後に設定される。
【００２１】
それぞれの操作ボタン（行先階ボタン２１）の各センサ（第１のセンサ３０ａ、第２のセンサ３０ｂ、第３のセンサ３０ｃ及び第４のセンサ３０ｄ）による物体の検出信号は、判定部５１に入力される。判定部５１は、１つの操作ボタン（行先階ボタン２１）に対応する前記所定の個数（ここでは４つ）のセンサの全てが同時に検出軸上に物体を検出した場合に、当該操作ボタンについて操作検出状態にあると判定する。
【００２２】
判定部５１は、１つの操作ボタン（行先階ボタン２１）のみが操作検出状態にあると判定された状態が予め定められた一定時間以上連続した場合に、当該行先階ボタン２１についての操作信号を出力する。判定部５１から出力された行先階ボタン２１の操作信号は、エレベータ制御装置６０へと入力される。なお、前記一定時間は、１秒から３秒程度、好ましくは２秒前後に設定される。
【００２３】
エレベータ制御装置６０は、当該エレベータの運転動作の全般を制御するものである。エレベータ制御装置６０は、判定部５１からの操作信号に応じて呼びを登録する。ここで、判定部５１から出力される操作信号には、当該操作信号が出力される原因となった操作において操作された行先階ボタン２１が、どの行先階に対応したものであるかについての情報が含まれている。
【００２４】
エレベータ制御装置６０は、判定部５１からの操作信号に含まれている情報に基づいて、操作された行先階ボタン２１に対応する行先階への呼びを登録する。呼びが登録されると、エレベータ制御装置６０は、登録されている呼びに応答すべく乗りかご１０を走行させるようにエレベータの運転を制御する。
【００２５】
操作ボタン（行先階ボタン２１）のそれぞれに対応して、発光部であるボタン灯４０が設けられている。ここでは、ボタン灯４０はそれぞれの行先階ボタン２１の操作面部の背後に設けられた例えばＬＥＤ（発光ダイオード）等からなる。利用者は行先階ボタン２１の操作面部の前面側からボタン灯４０の発光状態を視認できるようになっている。すなわち、各操作ボタン（行先階ボタン２１）の操作面部の少なくとも一部は、透明、より詳しくは可視光を一定割合以上で透過させる性質を有する素材からできている。
【００２６】
それぞれの発光部（ボタン灯４０）の発光状態は、発光制御部であるボタン灯制御部５２により制御される。ボタン灯制御部５２は、判定部５１により操作ボタン（行先階ボタン２１）が操作検出状態にあると判定されているか否かに応じて、当該行先階ボタン２１に対応するボタン灯４０の発光状態を変化させる。
【００２７】
より詳しくは、まず、ある行先階ボタン２１について、判定部５１により当該行先階ボタン２１が操作検出状態にないと判定されており、かつ、当該行先階ボタン２１に対応する行先階への呼びも登録されていない場合には、ボタン灯制御部５２は、当該行先階ボタン２１に対応するボタン灯４０を消灯させる。そして、ある行先階ボタン２１について、判定部５１により当該行先階ボタン２１が操作検出状態にあると判定されると、ボタン灯制御部５２は、当該行先階ボタン２１に対応するボタン灯４０を点滅させる。
【００２８】
また、エレベータ制御装置６０は、判定部５１からの操作信号に応じて呼びを登録した際に、この登録した呼びについての呼び登録信号をボタン灯制御部５２へと出力する。そして、ボタン灯制御部５２は、このエレベータ制御装置６０からの呼び登録信号に応じて、当該呼び登録信号の呼びの原因となった操作ボタン（行先階ボタン２１）に対応する発光部（ボタン灯４０）を点灯させる。
【００２９】
このように、判定部５１による判定状況及びエレベータ制御装置６０における呼び登録状況に応じて、ボタン灯４０の発光状態を変化させることにより、利用者は、非接触による行先階ボタン２１の操作状況（どのように操作が検出されており、また、操作が確定したのか）を容易に知ることができる。
【００３０】
なお、前述したように、判定部５１は、１つの行先階ボタン２１のみが操作検出状態にあると判定された状態が前記一定時間以上連続した場合に、当該行先階ボタン２１についての操作信号を出力する。このため、利用者の望む行先階ボタン２１が操作検出状態になっていない場合においては、前記一定時間が経過する前に自身の手指の位置等に調整することで、望む行先階ボタン２１が操作検出状態となるようにすれば、不必要なボタンの操作信号が出力されてしまうことがない。換言すれば、ボタン操作が確定して操作信号が出力されるまでに前記一定時間だけの猶予を設けることで、操作の誤検出を抑制し、利便性を向上することができる。
【００３１】
また、複数の行先階ボタン２１が同時に操作検出状態になってしまっている場合においても、操作信号が出力されることはないため、利用者の望まないボタン操作が誤って検出されてしまうことがない。
【００３２】
この際に、判定部５１により行先階ボタン２１が操作検出状態にあると判定されているか否かに応じて、当該行先階ボタン２１に対応するボタン灯４０の発光状態を変化させることで、利用者は、現在どの行先階ボタン２１について操作が検出された状態にあるのかを容易に知ることができる。
【００３３】
そして、利用者の望む行先階ボタン２１が操作検出状態になっていない場合、及び、複数の行先階ボタン２１が同時に操作検出状態になってしまっている場合等には、ボタン灯４０の発光状態を随時確認しながら望む行先階ボタン２１が操作検出状態となるように自身の手指の位置等を容易に調整することができる。
【００３４】
この実施の形態にあっては、エレベータの操作盤装置は、図４に示す一連のフローに従って動作する。
まず、ステップＳ１において、判定部５１は、１つの行先階ボタン２１に対応する複数（すなわち、前記所定の個数。ここでは４つ）のセンサである第１のセンサ３０ａ、第２のセンサ３０ｂ、第３のセンサ３０ｃ及び第４のセンサ３０ｄの全てが、同時に検出軸上に物体を検出しているか否かを確認する。
【００３５】
このステップＳ１において、１つの行先階ボタン２１に対応する複数のセンサの全てが、同時に検出軸上に物体を検出している場合には、ステップＳ２へと進む。ステップＳ２においては、判定部５１は、ステップＳ１で対応する複数のセンサの全てが同時に検出軸上に物体を検出していることが確認された行先階ボタン２１について操作検出状態にあると判定する。
【００３６】
そして、ステップＳ３へと進み、ボタン灯制御部５２は、ステップＳ２で操作検出状態にあると判定した行先階ボタン２１に対応するボタン灯４０を点滅させる。ステップＳ３の次はステップＳ４へと進む。ステップＳ４においては、判定部５１は、２以上の行先階ボタン２１において操作検出状態となっているか否かについて確認する。この確認において、操作検出状態である行先階ボタン２１の数が２以上である場合には、ステップＳ１へと戻る。
【００３７】
一方、ステップＳ４において操作検出状態である行先階ボタン２１の数が１以下である場合には、ステップＳ５へと進む。ステップＳ５では、判定部５１は、１つの行先階ボタン２１において操作検出状態が連続して前記一定時間以上継続しているか否かを確認する。１つの行先階ボタン２１において操作検出状態が連続して前記一定時間以上継続していない場合には、ステップＳ１へと戻る。
【００３８】
一方、ステップＳ５で、１つの行先階ボタン２１において操作検出状態が連続して前記一定時間以上継続していた場合には、ステップＳ６へと進む。ステップＳ６においては、判定部５１は、ステップＳ５で操作検出状態が連続して前記一定時間以上継続していることが確認された行先階ボタン２１についての操作信号を出力する。
【００３９】
判定部５１から出力された行先階ボタン２１の操作信号はエレベータ制御装置６０に入力される。エレベータ制御装置６０は、判定部５１からの操作信号に応じて呼びを登録する。呼びを登録すると、エレベータ制御装置６０は、この登録した呼びについての呼び登録信号をボタン灯制御部５２へと出力する。
【００４０】
ステップＳ６の後はステップＳ７へと進む。ステップＳ７においては、ボタン灯制御部５２は、エレベータ制御装置６０から出力された呼び登録信号を受信したか否かを確認する。呼び登録信号を受信していない場合には呼び登録信号を受信するまでこのステップＳ７を繰り返す。そして、エレベータ制御装置６０から出力された呼び登録信号を受信すれば、ステップＳ８へと進む。
【００４１】
ステップＳ８においては、ボタン灯制御部５２は、ステップＳ７で受信したエレベータ制御装置６０からの呼び登録信号に応じて、当該呼び登録信号の呼びの原因となった行先階ボタン２１に対応するボタン灯４０を点灯させる。こうして、一連の動作フローは終了となる。
【００４２】
なお、ここでは、非接触で操作が検出される対象となる操作ボタンとして行先階ボタン２１を例に挙げて説明した。ただし、このような操作ボタンとしては行先階ボタン２１だけに限られず、例えば、かご内操作盤２０に設けられた開閉ボタン２２であってもよい。
【００４３】
また、ここでは、乗りかご１０内のかご内操作盤２０を例に挙げて説明したが、この発明に係る操作盤装置を乗場に設置された乗場操作盤に適用することも可能である。この場合、非接触で操作が検出される対象となる操作ボタンは、乗場操作盤に設けられた呼び登録ボタンとなる。
【００４４】
この乗場操作盤の呼び登録ボタンは、例えば、上方向ボタン及び下方向ボタンであったり、かご内操作盤２０の行先階ボタン２１と同様の行先階ボタンであったりする。なお、かご内操作盤２０の行先階ボタン２１も、対応する行先階への呼びを登録するためのものという意味では呼び登録ボタンの一種であるといえる。
【００４５】
さらにまた、ここでは、操作ボタンの形状として正方形状である場合を例に挙げて説明した。ただし、操作ボタンの形状は、ここで説明した正方形状に限られず、例えば、長方形状（矩形状）、円形状等であってもよい。さらに、操作ボタンが乗場操作盤に設けられた上方向ボタン及び下方向ボタンである場合には、それぞれ上方向及び下方向を指す三角形状としてもよい。
【００４６】
さらにまた、１つの操作ボタンについて設けられるセンサの個数についても、ここでは４つとしたが、２つ以上であればこれに限られない。また、１つの操作ボタンにおける２以上のセンサの配置についても、ここでは操作面部の中心から見て上下左右としたが、これに限られるものではない。
【００４７】
さらにまた、操作ボタンは、操作面部に直接に接触する操作を受け付けるものであっても受け付けないものであってもよい。操作面部に直接接触する操作を受け付ける場合には、通常の接触式ボタンの構成・動作（例えば押しボタン等）を適用して実装することが可能である。このような通常の接触式ボタンの機能を兼ね備える場合、ボタンへの接触による操作の方を非接触による操作よりも優先させることが好ましい。
【００４８】
なお、以上においては、判定部５１は、複数の操作ボタンについて同時に操作検出状態となった場合に、１つの操作ボタンのみで操作が検出されている状態となるまでは操作信号を出力しないと説明した。この点について、判定部５１は、複数の操作ボタンについて同時に操作検出状態となった場合に、次のような方法により、最も操作が意図された可能性が高い操作ボタンを判定し、当該操作ボタンについての操作信号を出力するようにしてもよい。
【００４９】
まず、第１の方法は、かご内操作盤２０と乗りかご１０の出入口１１との位置関係を利用して、操作が意図された可能性が最も高い操作ボタンを判定する方法である。この方法においては、まず、前提としてかご内操作盤２０は、乗りかご１０の出入口１１の両側の袖壁に設けられているとする。
【００５０】
このような前提においては、かご内操作盤２０の行先階ボタン２１を操作しようとする利用者は、例えばかご内操作盤２０の正面に他の利用者がいた場合等には、出入口１１側からかご内操作盤２０へと手を伸ばして操作することになる。この際に、利用者が操作しようとする行先階ボタン２１が出入口１１から離れた位置にある場合、出入口１１から当該操作しようとする行先階ボタン２１までの間にある行先階ボタン２１は、利用者の手又は腕により横切られて操作検出状態となる可能性が高い。
【００５１】
すなわち、この前提においては、複数の行先階ボタン２１において同時に操作検出状態となった場合には、これらの操作検出状態になった行先階ボタン２１のうち、出入口１１から最も遠い行先階ボタン２１が操作の目的とされた可能性が高いと判断することができる。このような原理に基づいて、判定部５１は、複数の行先階ボタン２１において同時に操作検出状態となった場合に、操作検出状態になった行先階ボタン２１のうち出入口１１が最も遠い行先階ボタン２１についての操作信号を出力する。
【００５２】
次に、第２の方法は、利用者が荷物等を持った手で操作ボタンを操作しようとした場合に関するものである。利用者が荷物等を持った手で操作ボタンを操作しようとした場合、手に持たれた荷物等は重力の影響により当該手より鉛直下方に位置するこが多いと考えられる。
【００５３】
そこで、複数の行先階ボタン２１において同時に操作検出状態となった場合には、これらの操作検出状態になった行先階ボタン２１のうち、最も鉛直上方に位置する行先階ボタン２１が操作の目的とされた可能性が高いと判断することができる。このような原理に基づいて、判定部５１は、複数の行先階ボタン２１において同時に操作検出状態となった場合に、操作検出状態になった行先階ボタン２１のうち最も鉛直上方に位置する行先階ボタン２１についての操作信号を出力する。
【００５４】
以上のように構成されたエレベータの操作盤装置は、エレベータの乗場又は乗りかご内に設置される操作盤に設けられた操作ボタンと、１つの操作ボタンにつき２以上の所定の個数ずつが対応して設けられ、それぞれが直線状の検出軸上の物体の有無を非接触で検出するセンサと、１つの操作ボタンに対応する前記所定の個数のセンサが同時に前記検出軸上に物体を検出した場合に、当該操作ボタンについて操作検出状態にあると判定する判定部と、を備えている。そして、１つの操作ボタンに対応する前記所定の個数のセンサの検出軸同士は、正面視において当該操作ボタンの操作面部の内側となる空間上の１点において互いに交差して配置されるものである。
【００５５】
このため、操作ボタンに接近した利用者の指等が、正面視においてどの操作ボタンの操作面部の内側にあるかを非接触で精度よく検出することができ、利用者が操作を意図しない操作ボタンについて誤って操作が検出されてしまうことを防止することができる。また、距離センサを用いることなく操作ボタンに接近した利用者の指等を検出することができるため、安価に非接触式の操作ボタンを実現することができる。
【００５６】
実施の形態２．
図５は、この発明の実施の形態２に係るエレベータの操作盤装置が適用されたかご内操作盤の行先階ボタン部分を拡大して示した正面図である。この図５は、実施の形態１の図２に相当する。
【００５７】
前述した実施の形態１においては、複数の操作ボタンである行先階ボタン２１は、行列状に並べて配置されていた。これに対し、ここで説明する実施の形態２は、図５に示すように、操作ボタンである行先階ボタン２１を、それぞれの行先階ボタン２１の操作面部の中心から見て、右下側と左上側又は左下側と右上側とが互いに隣接するように千鳥状に配置している。
【００５８】
なお、１つの行先階ボタン２１におけるセンサの配置は実施の形態１と同じである。すなわち、１つの行先階ボタン２１につき２以上の前記所定の個数ずつが対応して設けられている。この前記所定の個数は４である。したがって、１つの行先階ボタン２１につき、第１のセンサ３０ａ、第２のセンサ３０ｂ、第３のセンサ３０ｃ及び第４のセンサ３０ｄの４つのセンサが設けられる。
【００５９】
これら４つのセンサは、１つの行先階ボタン２１について当該行先階ボタン２１の操作面部の中心から見て上下左右にそれぞれ１個ずつ配置される。また、ここでは、これらの４つのセンサは、対応する行先階ボタン２１の操作面部の内側に配置されている。
【００６０】
そして、これらのセンサ（第１のセンサ３０ａ、第２のセンサ３０ｂ、第３のセンサ３０ｃ及び第４のセンサ３０ｄ）のそれぞれは、直線状の検出軸上の物体の有無を非接触で検出する。
なお、他の構成及び動作については実施の形態１と同様であって、その詳細説明は省略する。
【００６１】
以上のように構成されたエレベータの操作盤装置は、１つの操作ボタンにつき当該操作ボタンの操作面部の中心から見て上下左右にそれぞれセンサを配置した上で、それぞれの操作ボタンの操作面部の中心から見て、右下側と左上側又は左下側と右上側とが互いに隣接するように千鳥状に操作ボタンを配置したものである。
【００６２】
このため、実施の形態１と同様の効果を奏することができるのに加えて、さらに、隣接する操作ボタン同士のセンサの検出軸の間隔をなるべく広くすることができ、誤検出の発生を抑制することが可能である。また、同一の高さ方向又は同一の横方向の位置に隣接して操作ボタンが配置されることがないため、複数の操作ボタンが同時に操作検出状態となりにくくなる。このため、利用者は所望するボタンの操作をより容易かつ適確に行うことが可能となる。
【符号の説明】
【００６３】
１０  乗りかご、  １１  出入口、  ２０  かご内操作盤、  ２１  行先階ボタン、  ２２  開閉ボタン、  ２３  表示部、  ３０ａ  第１のセンサ、  ３０ｂ  第２のセンサ、  ３０ｃ  第３のセンサ、  ３０ｄ  第４のセンサ、  ３１ａ  第１の検出軸、  ３１ｂ  第２の検出軸、  ３１ｃ  第３の検出軸、  ３１ｄ  第４の検出軸、  ３２  交差点、  ４０  ボタン灯、  ５１  判定部、  ５２  ボタン灯制御部、  ６０  エレベータ制御装置
【図１】
2015151253.tif 000003
【図２】
2015151253.tif 000004
【図３】
2015151253.tif 000005
【図４】
2015151253.tif 000006
【図５】
2015151253.tif 000007